(57)【要約】【課題】  羊水を温め過ぎないようし、かつ妊婦の腰椎への負荷を軽減できる妊婦の下半身用衣服を提供する。【解決手段】  妊婦の下半身用衣服の一例としてのスカート１は、前帯部１０と、後帯部２０と、１対の側帯部３０と、垂布４０とを備える。前帯部１０は、妊婦の膨出した腹部を露出させた状態で、この膨出した腹部の下腹部をその形状に沿って下から持ち上げる。後帯部２０は、妊婦の背面で腰部に当てられる腰パッド部２１を含む。１対の側帯部３０は、前帯部１０と、後帯部２０とを接続する。【選択図】      図２
2005036375.tif 000002
【特許請求の範囲】
【請求項１】
妊婦の膨出した腹部を露出させた状態で、この膨出した腹部の下腹部をその形状に沿って下から持ち上げる前帯部と、
妊婦の背面で腰部に当てられる腰パッド部を含む後帯部と、
前記前帯部と前記後帯部とを接続する１対の側帯部とを備える、妊婦の下半身用衣服。
【請求項２】
前記腰パッド部は、少なくとも胸椎の下端部から腰椎の上端部までの領域に背後から当てられるものである、請求項１に記載の妊婦の下半身用衣服。
【請求項３】
前記側帯部は、腸骨の上部を通過するものである、請求項１または２に記載の妊婦の下半身用衣服。
【請求項４】
前記前帯部は、妊婦の下腹部の形状に沿って面で下から持ち上げている、請求項１〜３のいずれかに記載の妊婦の下半身用衣服。
【請求項５】
前記前帯部と前記１対の側帯部と前記後帯部とで形成されるループの長さを調節するための長さ調節部をさらに備える、請求項１〜４のいずれかに記載の妊婦の下半身用衣服。
【請求項６】
下半身用衣服本体と、腹帯とを備え、
前記下半身用衣服本体は、妊婦の膨出した腹部を覆う伸縮性素材からなる腹部覆い部と、妊婦の背面で腰部に当てられる腰パッド部とを含み、
前記腹帯は、前記腹部覆い部上に重なり妊婦の膨出した腹部の下端部をその形状に沿って下から持上げるように延び、かつ、その両端が妊婦の背面で前記腰パッド部に着脱可能に連結されるものである、妊婦の下半身用衣服。
【請求項７】
妊婦の膨出した腹部を覆う伸縮性素材からなる腹部覆い部と、妊婦の背面で腰部に当てられる腰パッド部とを含む、妊婦の下半身用衣服。
【請求項８】
前記腰パッド部は、その上端部分の幅寸法が最も大きく、その中央部分の幅寸法が最も小さい、請求項６または７に記載の妊婦の下半身用衣服。
【発明の詳細な説明】
【技術分野】
【０００１】
この発明は、お腹の大きい妊婦が着用するのに適した下半身用衣服に関するものである。
【０００２】
なお、本明細書において使用する用語としての「下半身用衣服」は、スカート、ズボン、ショーツ、ガードル、腰バンド等を含むものである。
【背景技術】
【０００３】
従来より、お腹の大きい妊婦の下半身用衣服として、子宮や胎児を正常位置に保持すると共に、突出した腹部の下垂を防止しかつ保護するために、腹部を下方から持ち上げるようにしたものが提案されている。
【０００４】
例えば、実開平７−６２１６号公報（特許文献１）は、妊婦用ガードルと腹帯とを組み合わせ自在とした妊婦の下半身用下着を開示している。ガードルは、ガードル本体布の前部側に両脇部近傍から恥骨位置近傍まで略Ｕ形状のカット部を形成し、該カット部に腹部帯を縫着している。
【０００５】
また、特開平９−３７０２号公報は、ショーツ本体の伸縮性を異ならしめることで、妊婦の体型、膨出状態にかかわらず使用できる妊婦用ショーツを開示している。具体的には、妊婦用ショーツは、縦方向および横方向の伸縮性を有する両方向伸縮性編成部２０と、縦方向の伸縮を抑え横方向の伸縮を大ならしめるように編成した横方向伸縮性編成部とを備え、腹部中央部を両方向伸縮性編成部で構成している。
【特許文献１】実開平７−６２１６号公報
【特許文献２】特開平９−３７０２号公報
【発明の開示】
【発明が解決しようとする課題】
【０００６】
上記の特許文献１および特許文献２に開示された妊婦の下半身用衣服では、いずれも、膨出した妊婦の腹部を柔らかくて伸縮性のある素材で覆うことにより、腹部への圧迫を避けている。
【０００７】
母親のお腹の中にいる胎児は、羊水によって保護されている。羊水の温度は母親の体温より１〜１．５℃程度高く、母親の体表面温度が上がると羊水の温度も上がる。胎児の健全な成長のためには羊水の温度を適切な範囲に維持するのが望ましい。特許文献１および特許文献２に開示されたような妊婦の下半身用衣服の場合、妊婦の腹部を柔らかくて伸縮性のある素材で覆っているため、羊水の温度が過剰に高くなることがある。羊水の温めすぎは、胎児の健全な成長に悪影響を及ぼすおそれがある。
【０００８】
また、大きなお腹を抱えている妊婦は、胎児の重みに耐えかつ胎児を適正な位置に保持するために、腰を後方に反った状態で歩くことが多い。そのため、妊婦の腰椎部分に過大な負荷がかかり、妊婦の疲労を増大させる。
【０００９】
この発明の目的は、羊水を温め過ぎないようにし、かつ妊婦の腰椎への負荷を軽減できる妊婦の下半身用衣服を提供することである。
【００１０】
この発明の他の目的は、特に妊婦の腰椎への負荷を軽減できる妊婦の下半身用衣服を提供することである。
【課題を解決するための手段】
【００１１】
この発明に従った妊婦の下半身用衣服は、妊婦の膨出した腹部を露出させた状態で、この膨出した腹部の下腹部をその形状に沿って下から持ち上げる前帯部と、妊婦の背面で腰部に当てられる腰パッド部を含む後帯部と、前帯部と後帯部とを接続する１対の側帯部とを備える。
【００１２】
上記の構成を備える下半身用衣服によれば、前帯部が妊婦の膨出した腹部を露出させる位置で下腹部をその形状に沿って下から持ち上げているので、腹部がむれにくく羊水が過度に温められることはない。また、膨出した腹部を圧迫するようなものが存在していないので、身体が楽である。さらに、腰パッド部が、後方に反って歩く妊婦の腰椎部分をサポートして腰椎にかかる負荷を軽減する。
【００１３】
好ましくは、腰パッド部は、少なくとも胸椎の下端部から腰椎の上端部までの領域に背後から当てられる。また、好ましくは、側帯部は、妊婦の腸骨の上部を通過する。
【００１４】
膨出した腹部への食い込みを避けるために、好ましくは、前帯部は、妊婦の下腹部に面状に接して下から持ち上げている。
【００１５】
好ましくは、妊婦の下半身用衣服は、前帯部と１対の側帯部と後帯部とで形成されるループの長さを調節するための長さ調節部をさらに備える。
【００１６】
この発明の他の局面における妊婦の下半身用衣服は、下半身用衣服本体と、腹帯とを備える。下半身用衣服本体は、妊婦の膨出した腹部を覆う伸縮性素材からなる腹部覆い部と、妊婦の背面で腰部に当てられる腰パッド部とを含む。腹帯は、腹部覆い部上に重なり妊婦の膨出した腹部の下端部をその形状に沿って下から持上げるように延び、かつ、その両端が妊婦の背面で腰パッド部に着脱可能に連結されるものである。
【００１７】
この発明のさらに他の局面における妊婦の下半身用衣服は、妊婦の膨出した腹部を覆う伸縮性素材からなる腹部覆い部と、妊婦の背面で腰部に当てられる腰パッド部とを含む。
【００１８】
下半身用衣服本体または下半身用衣服が、伸縮性素材からなる腹部覆い部と、腰パッド部とを含む場合、腰パッド部は、好ましくは、その上端部分の幅寸法が最も大きく、その中央部分の幅寸法が最も小さい。この利点については、後述する。
【発明を実施するための最良の形態】
【００１９】
図１は、この発明の一実施形態である妊婦用スカートを着用している妊婦を図示している。図２は、図１のスカートを断面で示すと共に、妊婦のお腹の中にいる胎児も図示している。
【００２０】
図示するように、スカート１は、前帯部１０と、後帯部２０と、１対の側帯部３０と、上記の各帯部から下方に垂れ下がった垂布４０とを備える。
【００２１】
前帯部１０は、妊婦の膨出した腹部を露出させた状態で、この膨出した腹部の下腹部を下から持ち上げている。図２に示すように、前帯部１０は、腹部への食い込みを避けるために、下腹部に対して広い幅で面状に接する。
【００２２】
後帯部２０は、妊婦の背面で腰部に当てられる腰パッド部２１を含む。腰を後方に反らして歩く妊婦の場合、腰椎に対して大きな負荷がかかる。腰パッド部２１は、後方に反って歩く妊婦の腰椎部分をサポートして腰椎にかかる負荷を軽減する。
【００２３】
妊婦の椎間板ヘルニアの症状例を見てみると、第４および第５腰椎が外に突き出ていることが多い。このことは、第４および第５腰椎の部分に大きな負荷がかかっていることを示すものである。そこで、好ましくは、腰パッド部２１は、少なくとも胸椎の下端部から腰椎の上端部までを覆うことができるように、その大きさおよび位置が選ばれる。
【００２４】
腰パッド部２１を形成する材料としては、種々のものが考えられる。例えば、ある程度の弾力性を有するクッション材であってもよいし、厚手の布地等であってもよい。
【００２５】
１対の側帯部３０は、前帯部１０と後帯部２０とを接続するものであり、好ましくは、妊婦の腸骨上部を通過するようにされる。前帯部１０と１対の側帯部３０と後帯部２０とで、妊婦の下腹部から背面の腰部までを取り囲むループ形状を形成する。妊婦の下腹部に面状に接する前帯部１０は、お腹の丸みに沿って下腹部の前方および前方両側部を斜め上方に持ち上げる。
【００２６】
上述のループ形状の大きさを調節できるようにするために、側帯部３０は、長さ調節部３１を有する。長さ調節を可能にする長さ調節部の態様としては、例えば、面ファスナ、紐、クリップ、フック、止めボタン等、種々のものが考えられる。
【００２７】
前帯部１０、後帯部２０および１対の側帯部３０は、垂布４０の外面に取付けられてもよいし、内面に取付けられてもよい。
【００２８】
図示した実施形態では、妊婦の下半身用衣服の一例としてスカートを例示的に説明したが、この発明の適用範囲は、スカートに限定されない。例えば、ズボンにも適用可能であるし、ショーツ、ガードルのような下半身用下着にも適用可能である。また、前帯部と後帯部と１対の側帯部とからなる腰バンドにも適用可能である。
【００２９】
図３および図４は、この発明の他の実施形態の妊婦の下半身用衣服である妊婦用ズボン５０を示している。図３は妊婦用ズボン５０を正面側から見た図であり、図４は妊婦用ズボン５０を背面側から見た図である。この妊婦用ズボン５０は、特に妊婦の腰椎への負荷を軽減することを意図したものである。
【００３０】
妊婦用ズボン５０は、下半身用衣服本体であるズボン本体６０と、腹帯７０とを備える。図５および図６はズボン本体６０を単体で示し、図７は腹帯７０を単体で示している。
【００３１】
図５および図６に示すように、ズボン本体６０は、妊婦の腹部を覆う伸縮性素材からなる腹部覆い部６１と、妊婦の背面で腰部に当てられる腰パッド部６２とを備える。腹部覆い部６１は、例えば伸縮性を持たせたニット地であり、好ましくは良好な通気性を有する。この腹部覆い部６１は、妊婦の腹部および胴側部を覆うように形成されている。
【００３２】
ズボン本体６０の腰パッド部６２は、伸縮性を有さない例えば厚手の布地で作られており、妊婦の少なくとも胸椎の下端部から腰椎の上端部までの領域に背後から当てられるような大きさおよび形状とされている。腰パッド部６２の幅方向寸法に注目すると、その上端部６２ａの幅寸法が最も大きく、その中央部６２ｂの幅寸法が最も小さい。また、腰パッド部６２の下端部６２ｃの幅寸法は、上端部６２ａよりも小さいが、中央部６２ｂよりも大きい。
【００３３】
図６から明らかなように、腰パッド部６２の両側部には、上下に並んだ複数の留めボタン６３が取り付けられている。この留めボタン６３は、腹帯７０の取付に利用されるものである。妊婦のお腹が小さいときには、図５および図６に示すズボン単体で使用することができる。
【００３４】
図７に示す腹帯７０は、伸縮性を有さない例えば厚手の布地で作られるものであり、幅方向における中央部７０ａの幅寸法（上下の高さ寸法）が最も小さく、両側端部７０ｂの幅寸法（上下の高さ寸法）が最も大きい。腹帯７０ｂの両側端部７０ｂの上下の高さ寸法は、腰パッド部６２の上下高さ寸法とほぼ同じである。腹帯７０の両側端部７０ｂには、上下に並んだ２列のボタン穴７１，７２が形成されている。ボタン穴７２は、ボタン穴７１の内側に位置する。
【００３５】
腹帯７０は、妊婦のお腹が大きくなってきたときに使用されるものである。使用状態では、腹帯７０は、ズボン本体６０の腹部覆い部６１上に重なり妊婦の膨出した腹部の下端部をその形状に沿って下から持上げるように延び、かつ、その両側端部７０ｂが妊婦の背面で腰パッド部６２に着脱可能に連結される。具体的には、腹帯７０の両側端部に形成されたボタン穴７１，７２と腰パッド部６２の両側部に取り付けられた留めボタン６３とを係合させる。腹部の大きさに応じて、いずれかのボタン穴を選択する。
【００３６】
妊婦の下腹部に面状に接する腹帯７０は、お腹の丸みに沿って下腹部の前方および前方両側部を斜め上方に持上げる。腰パッド部６２の上端部６２ａの幅寸法が大きいので、腹帯７０による持上げ作用を安定させることができる。
【００３７】
腰パッド部６２の中央部６２ｂの幅寸法を小さくしたのは、妊婦のお腹が大きくなってきたときに伸縮性素材である腹部覆い部６１を広がりやすくするためである。また、腰パッド部６２の下端部６２ｃの幅寸法を大きくしたのは、腰パッド部６２を妊婦の胸椎の下端部から腰椎の上端部までの領域に安定して当てることができるようにするためである。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３９】
この発明は、妊婦の下半身用衣服として有利に利用され得る。
【図面の簡単な説明】
【００４０】
【図１】この発明の一実施形態であるスカートを着用している妊婦を示す図である。
【図２】図１のスカートを断面で示す図である。
【図３】この発明の他の実施形態である妊婦用ズボンを正面側から見た図である。
【図４】図３の妊婦用ズボンを背面側から見た図である。
【図５】ズボン本体を正面側から見た図である。
【図６】ズボン本体を背面側から見た図である。
【図７】腹帯を示す図である。
【符号の説明】
【００４１】
１  スカート、１０  前帯部、２０  後帯部、２１  腰パッド部、３０  側帯部、３１  長さ調節部、４０  垂布、５０  妊婦用ズボン、６０  ズボン本体、６１  腹部覆い部、６２  腰パッド部、６２ａ  上端部、６２ｂ  中央部、６２ｃ  下端部、６３  留めボタン、７０  腹帯、７０ａ  中央部、７０ｂ  側端部、７１，７２  ボタン穴。
【図１】
2005036375.tif 000003
【図２】
2005036375.tif 000004
【図３】
2005036375.tif 000005
【図４】
2005036375.tif 000006
【図５】
2005036375.tif 000007
【図６】
2005036375.tif 000008
【図７】
2005036375.tif 000009